(57)【要約】【課題】    商用電源等のような大きな電力が利用できない場合であっても液体を汲み上げることができる揚液装置を提供する。【解決手段】所定の線分である基準線分の一端から他端に向けて基準線分の周りに螺旋状の流路を形成する螺旋流路形成手段と、太陽光を電力に変換する発電手段と、発電手段によって発電された電力により、基準線分の周りに流路を回転させる回転手段と、を備えてなる、揚液装置である。螺旋流路形成手段が、基準線分の一端と他端とに開口を有する中空の筒状部材である流路筒部と、基準線分の一端側から他端側に向けて基準線分の周りに螺旋状に外縁が流路筒部の内面に液密的に取り付けられた螺旋羽根と、を有してなり、流路筒部の内面と螺旋羽根とにより前記流路が形成され、回転手段が、流路筒部と螺旋羽根とを基準線分の周りに回転させるものであってもよい。【選択図】  図１
2011220272.tif 000002
【特許請求の範囲】
【請求項１】
所定の線分である基準線分の一端から他端に向けて基準線分の周りに螺旋状の流路を形成する螺旋流路形成手段と、
太陽光を電力に変換する発電手段と、
発電手段によって発電された電力により、基準線分の周りに流路を回転させる回転手段と、
を備えてなる、揚液装置。
【請求項２】
螺旋流路形成手段が、基準線分の一端と他端とに開口を有する中空の筒状部材である流路筒部と、基準線分の一端側から他端側に向けて基準線分の周りに螺旋状に外縁が流路筒部の内面に液密的に取り付けられた螺旋羽根と、を有してなり、
流路筒部の内面と螺旋羽根とにより前記流路が形成され、
回転手段が、流路筒部と螺旋羽根とを基準線分の周りに回転させるものである、請求項１に記載の揚液装置。
【請求項３】
基準線分の周りに回転自在に軸支され、外面に螺旋羽根の内縁が液密的に取り付けられた中央軸を備えるものである、請求項２に記載の揚液装置。
【請求項４】
基準線分の周りに回転する流路筒部の他端に連通する内部空間である集液空間と、集液空間と外部空間とを連通させ液体を吐出する吐出口と、を有してなる集液室を備えるものである、請求項２又は３に記載の揚液装置。
【請求項５】
流路筒部が、外方に突出するように流路筒部の外面に形成された筒部フランジを有し、筒部フランジの外縁から落下する液が吐出口へ導かれるものである、請求項４に記載の揚液装置。
【請求項６】
集液室が、筒部フランジの外縁よりも内縁が内方に突出するように筒部フランジに対して流路筒部の一端側に形成された集液フランジを有するものである、請求項５に記載の揚液装置。
【請求項７】
筒部フランジと集液フランジとの間に隙間が形成されるものである、請求項６に記載の揚液装置。
【請求項８】
流路筒部のうち基準線分に沿った少なくとも一部を覆うカバーを備えてなる、請求項２乃至７のいずれか１に記載の揚液装置。
【発明の詳細な説明】
【技術分野】
【０００１】
本発明は、揚液装置に関し、より詳細には、商用電源等のような大きな電力が利用できない場合であっても液体を汲み上げることができる装置に関する。
【背景技術】
【０００２】
液体を低所から高所に揚げるには、通常、商用電源を用いた液体圧送用のポンプ（例えば、渦巻きポンプや往復ポンプ等）を用いる（例えば、特許文献１等）。
【０００３】
特許文献１には、「従来のポンプ装置においては、最悪な据付条件を考慮して、ポンプ装置の運転条件を定めていた為、ポンプ装置の性能を十分に活用していないでいた」（特許文献１、要約の課題）ことに鑑みなされたもので、「ポンプ装置に電動機軸出力を推定できる制御部を具備させると共に、定められた軸出力で運転できる様にした。本発明によれば、全ての使用領域において、ポンプ装置の軸出力を検知し最大の軸出力で運転させることで揚水量のアップを図ることが出来る」（特許文献１、要約の解決手段）揚液装置（特許文献１中では揚水装置）が開示されている。
【先行技術文献】
【特許文献】
【０００４】
【特許文献１】特開２００８−１０１５５６号公報（例えば、要約、第１図〜第３図等）
【発明の概要】
【発明が解決しようとする課題】
【０００５】
確かに、特許文献１に開示された揚液装置は、該ポンプ装置が有する電動機（モーター）を駆動するための商用電源等のような大きな電力が供給される場面では、高速で多量の液体を効果的に汲み上げることができるが、このような大きな電力供給が可能な場所でしか用いることができないことから、揚液可能な場所が大きく制限される問題があった（大電力供給が困難な場所では使用できない）。
【０００６】
そこで、本発明では、商用電源等のような大きな電力が利用できない場合であっても液体を汲み上げることができる揚液装置を提供することを目的とする。
【課題を解決するための手段】
【０００７】
本発明の揚液装置（以下、「本装置」という。）は、所定の線分である基準線分の一端から他端に向けて基準線分の周りに螺旋状の流路を形成する螺旋流路形成手段と、太陽光を電力に変換する発電手段と、発電手段によって発電された電力により、基準線分の周りに流路を回転させる回転手段と、を備えてなる、揚液装置である。
本装置は、螺旋流路形成手段と発電手段と回転手段とを備えてなる。
螺旋流路形成手段は、所定の線分である基準線分の一端から他端に向けて基準線分の周りに螺旋状（スクリュー状）の流路を形成する。
発電手段は、太陽光を電力に変換するものであり、通常、太陽電池を用い、この太陽電池が太陽光を受けることで発電するよう構成される。
回転手段は、発電手段によって発電された電力により、基準線分の周りに螺旋流路形成手段が形成する流路を回転させる。
このような本装置によれば、螺旋流路形成手段が形成する螺旋状の流路の下端（一端側）が液体中に潜入した状態で基準線分が鉛直方向に対して所定角度（例えば、４５度）をなすように傾け、太陽光により発電手段に発電させれば、回転手段が基準線分の周りに螺旋流路形成手段の螺旋状の流路を回転させ（螺旋状の流路が上方に向けて進む方向に回転させる）、液体が螺旋状の流路に沿って上方に向けて揚がり（アルキメデスのポンプ）、最終的には螺旋状の流路の上端（他端側）から吐出される。このように本装置は、太陽光から発電した電力により液体を汲み上げることができ、商用電源等のような大きな電力が利用できない場合であっても液体を汲み上げることができる揚液装置である。
【０００８】
本装置においては、螺旋流路形成手段が、基準線分の一端と他端とに開口を有する中空の筒状部材である流路筒部と、基準線分の一端側から他端側に向けて基準線分の周りに螺旋状に外縁が流路筒部の内面に液密的に取り付けられた螺旋羽根と、を有してなり、流路筒部の内面と螺旋羽根とにより前記流路が形成され、回転手段が、流路筒部と螺旋羽根とを基準線分の周りに回転させるもの（以下、「筒使用本装置」という。）であってもよい。
本装置を構成する螺旋流路形成手段は、基準線分の一端から他端に向けて基準線分の周りに螺旋状（スクリュー状）の流路を形成するものであればよく、何ら限定されるものではないが、例えば、（ａ）螺旋流路形成手段が、基準線分の一端から他端に向けて基準線分の周りに螺旋状に周回され、内部空間が前記流路を形成する管状部材を含んでなるもの、（ｂ）螺旋流路形成手段が、基準線分の一端と他端とに開口を有し、基準線分を軸とする円柱の側面に沿った内周面を有する中空の筒状部材である流路筒部と、基準線分の一端側から他端側に向けて基準線分の周りに螺旋状に外縁が流路筒部の内周面に摺接する螺旋羽根と、を有してなり、流路筒部の内周面と螺旋羽根とにより前記流路が形成され、回転手段が、螺旋羽根の外縁が流路筒部の内周面に摺動するよう螺旋羽根を基準線分の周りに回転させるもの、（ｃ）螺旋流路形成手段が、基準線分の一端と他端とに開口を有する中空の筒状部材である流路筒部と、基準線分の一端側から他端側に向けて基準線分の周りに螺旋状に外縁が流路筒部の内面に液密的に取り付けられた螺旋羽根と、を有してなり、流路筒部の内面と螺旋羽根とにより前記流路が形成され、回転手段が、流路筒部と螺旋羽根とを（一緒に）基準線分の周りに回転させるもの、等を例示することができる。とりわけ上記（ｃ）の筒使用本装置であれば、流路筒部の内面と螺旋羽根との間で摩擦も生じずエネルギー損失も少なく（太陽光による発電手段の発電量は小さい場合が多いので、できる限りエネルギー損失を減少させ、エネルギーを揚液に有効に用いることが好ましい。）、さらに上記（ａ）等に比し、螺旋流路形成手段が形成する螺旋状の流路を基準線分の周りに１回転させたときに吐出される液量も大きくとりやすい。
【０００９】
筒使用本装置の場合、基準線分の周りに回転自在に軸支され、外面に螺旋羽根の内縁が液密的に取り付けられた中央軸を備えるものであってもよい。
このような中央軸を螺旋流路形成手段が備えることで、中央軸の外面と螺旋羽根の内縁が液密的に取り付けられるので、中央軸の外面と流路筒部の内面との間の空間を螺旋羽根が液密的に確実に仕切り、螺旋流路形成手段が形成する流路を基準線分の周りに確実に螺旋状に形成することができる。そして、中央軸が基準線分の周りに回転自在に軸支されることで、螺旋流路形成手段が形成する螺旋状の流路を基準線分の周りに容易かつ確実に回転自在に支持することができる。
【００１０】
筒使用本装置の場合、基準線分の周りに回転する流路筒部の他端に連通する内部空間である集液空間と、集液空間と外部空間とを連通させ液体を吐出する吐出口と、を有してなる集液室を備えるもの（以下、「集液室具備本装置」という。）であってもよい。
上述の如く、本装置によれば、螺旋状の流路の下端（筒使用本装置の場合であれば、流路筒部の一端）が液体中に潜入した状態で基準線分が鉛直方向に対して所定角度（例えば、４５度）をなすように傾け、太陽光により発電手段に発電させれば、回転手段が基準線分の周りに螺旋状の流路を回転させ（螺旋状の流路が上方に向けて進む方向に回転させる）、液体が螺旋状の流路に沿って上方に向けて揚がり、最終的には螺旋状の流路の上端（筒使用本装置の場合であれば、流路筒部の他端）から吐出される。筒使用本装置の場合に流路筒部の他端から吐出される液体は、所定の場所に導かれる方が液体を使用する際に便利であるので、そのための集液室を備えるようにしてもよい。集液室は、液体を吐出する流路筒部の他端に連通する内部空間である集液空間によって吐出液体を集め、集液空間にて集められた液体を吐出口（集液空間と外部空間とを連通させ液体を吐出する）から吐出するので、液体を吐出口から所定の場所に容易に導くことができ液体を便利に使用することができる。
【００１１】
集液室具備本装置の場合、流路筒部が、外方に突出するように流路筒部の外面に形成された筒部フランジを有し、筒部フランジの外縁から落下する液が吐出口へ導かれるもの（以下、「筒部フランジ具備本装置」という。）であってもよい。
上述の通り、筒使用本装置の場合には流路筒部の他端から液体が吐出されるが、その吐出される液体の一部は流路筒部の外面を伝って下方に落下することがある。このような流路筒部の外面を伝って下方に落下する液体は、発電手段によって発電された電力（エネルギー）の損失の原因となるし、本装置の揚水能力を低下させる。このような流路筒部の他端から流路筒部の外面を伝って下方に落下する液体を減少又は無くするためには、流路筒部が、外方（基準線分から遠ざかる方向）に突出するように流路筒部の外面（流路筒部の他端近傍の外面）に形成された筒部フランジを有すれば、流路筒部の外面を伝って下方に落下する液体は筒部フランジの外縁から落下するようになるので、この筒部フランジの外縁から落下する液が吐出口へ導かれるようにすればよい（例えば、筒部フランジが、集液室の集液空間に存在するようにすれば、筒部フランジの外縁から落下する液が容易かつ確実に吐出口へ導かれるようにすることができる。）。
【００１２】
筒部フランジ具備本装置の場合、集液室が、筒部フランジの外縁よりも内縁が内方に突出するように筒部フランジに対して流路筒部の一端側に形成された集液フランジを有するもの（以下、「集液フランジ具備本装置」という。）であってもよい。
集液フランジは、筒部フランジに対して流路筒部の一端（液体を吐出する流路筒部の他端とは反対端）側に形成され、筒部フランジの外縁よりも集液フランジの内縁が内方（基準線分に近づく方向）に突出するように形成される。このため筒部フランジの外縁から落下する液が、集液フランジによって確実に集められることで、筒部フランジの外縁から落下する液が容易かつ確実に吐出口へ導かれる。
【００１３】
集液フランジ具備本装置の場合、筒部フランジと集液フランジとの間に隙間が形成されるものであってもよい。
筒部フランジに対して流路筒部の一端側に形成される集液フランジは、筒部フランジの外縁よりも集液フランジの内縁が内方（基準線分に近づく方向）に突出するように形成されるので、筒部フランジと集液フランジとの間に隙間が存しても、基準線分が鉛直方向に対して所定角度（例えば、４５度）をなすように傾けられた状態で筒部フランジの外縁から落下する液は、集液フランジの内縁よりも外方に落下し集液空間に確実に集められる（即ち、筒部フランジと集液フランジとの間の隙間に液が進入しないか、したとしても極小量にとどまる。）。そして、筒部フランジと集液フランジとの間に隙間が存することで（筒部フランジと集液室とが非接触かつ集液フランジと流路筒部とが非接触であり、集液室と流路筒部とが非接触である。）、筒部フランジと集液フランジとが接触し摺動する場合に比し、その摺動により生じる摩擦を無くしエネルギー損失を少なくして揚液効率を向上させることができる（太陽光による発電手段の発電量は小さい場合が多いので、できる限りエネルギー損失を減少させ、エネルギーを揚液に有効に用いることが好ましい。）。
【００１４】
筒使用本装置の場合、流路筒部のうち基準線分に沿った少なくとも一部を覆うカバーを備えてなるものであってもよい。
中空の筒状部材である流路筒部は、螺旋流路形成手段を構成するものの中で外面を形成し、回転手段により基準線分の周りに回転させるので、他の物と衝突等して破損することもあり得る。これを防止や減少させるため、流路筒部のうち基準線分に沿った少なくとも一部（無論、全部でもよい）を覆うカバーを備えるようにしてもよい。
【図面の簡単な説明】
【００１５】
【図１】本装置を示す斜視図である。
【図２】図２（ａ）は本装置を構成する装置本体の正面図であり、図２（ｂ）は装置本体の底面図である。
【図３】図３（ａ）は装置本体の左側面図であり、図３（ｂ）は装置本体の右側面図である。
【図４】図１の状態から駆動部カバーを取り外したところを示す斜視図である。
【図５】図５（ａ）は図２（ａ）の状態から駆動部カバーを取り外したところを示す正面図であり、図５（ｂ）は図２（ｂ）の状態から駆動部カバーを取り外したところを示す底面図である。
【図６】図３（ｂ）の状態から駆動部カバーを取り外したところを示す右側面図である。
【図７】図７（ａ）は図２（ａ）のＤ−Ｄ断面図であり、図７（ｂ）は図２（ｂ）のＣ−Ｃ断面図である。
【図８】図８（ａ）は図２（ａ）のＥ−Ｅ断面図であり、図８（ｂ）は図２（ａ）のＦ−Ｆ断面図であり、図８（ｃ）は図２（ａ）のＧ−Ｇ断面図である。
【図９】図７（ｂ）の点線Ｍによって囲まれた部分の拡大断面図である。
【図１０】図９の点線Ｎによって囲まれた部分の拡大断面図である。
【発明を実施するための形態】
【００１６】
以下、本発明の実施の形態を図面を参照して説明する。しかしながら、これらによって本発明は何ら制限されるものではない。
【００１７】
本装置１１は、ここでは水路から田畑等へ水を揚げる揚水目的に用いられる農業用の揚水装置（水路から農業用の揚水目的に用いられる揚水装置）である。図１は本装置１１を示す斜視図であり、図２（ａ）は本装置１１を構成する装置本体２１の正面図（図１中の矢印Ｊ方向から見たところを示している。）であり、図２（ｂ）は装置本体２１の底面図（図１中の矢印Ｋ方向から見たところを示している。）であり、図３（ａ）は装置本体２１の左側面図（図１及び図２中の矢印Ｂ方向から見たところを示している。）であり、図３（ｂ）は装置本体２１の右側面図（図１及び図２中の矢印Ａ方向から見たところを示している。）であり、図４は図１の状態から駆動部カバー７８（詳しくは後述）を取り外したところを示しており、図５（ａ）は図２（ａ）の状態から駆動部カバー７８を取り外したところを示しており、図５（ｂ）は図２（ｂ）の状態から駆動部カバー７８を取り外したところを示しており、図６は図３（ｂ）の状態から駆動部カバー７８を取り外したところを示しており、図７（ａ）は図２（ａ）のＤ−Ｄ断面図であり、図７（ｂ）は図２（ｂ）のＣ−Ｃ断面図であり、図８（ａ）は図２（ａ）のＥ−Ｅ断面図であり、図８（ｂ）は図２（ａ）のＦ−Ｆ断面図であり、図８（ｃ）は図２（ａ）のＧ−Ｇ断面図であり、図９は図７（ｂ）の点線Ｍによって囲まれた部分の拡大断面図であり、そして図１０は図９の点線Ｎによって囲まれた部分の拡大断面図である。図１乃至図１０を参照して、本装置１１について説明する。
本装置１１は、大まかには、太陽電池パネル９１と、装置本体２１と、太陽電池パネル９１と装置本体２１とを接続する給電コード９９と、を備えてなる。
【００１８】
太陽電池パネル９１は、太陽電池の受光面９３に太陽光が照射されることで、発電し電力を生じる。太陽電池パネル９１が発電した電力は、給電コード９９を経由し装置本体２１（具体的には、後述のモーター７５）に供給される。なお、ここでは図示を省略しているが、太陽電池パネル９１は、図示しない地面に対して受光面９３が所定角度をなし所定方角を向いた状態で、図示しない支持スタンドによって支持されている。
【００１９】
装置本体２１は、大まかには、中空の筒形状をしたケーシング３１と、ケーシング３１の内部に配設されたポンプ部５１と、ポンプ部５１を駆動するための駆動部７１と、を含んでなる。
ポンプ部５１は、仮想上の直線Ｌを軸とする中空の直円柱（半径ｒ１）形状をした回転シャフト５３と、その回転シャフト５３の両側に取り付けられた直線Ｌを軸とする直円柱形状の一対の回転棒５５ａ、５５ｂと、直線Ｌを軸とする中空の直円柱（半径ｒ３。但しｒ３＞ｒ１）形状をした筒部５７と、直線Ｌを軸とする直円柱（半径ｒ２。但しｒ３＞ｒ２＞ｒ１）の側面に沿った筒部５７の内周面と回転シャフト５３の外周面（半径ｒ１）との間に直線Ｌを中心に螺旋状に形成されたらせん羽根５９と、を有してなり、回転シャフト５３に対してらせん羽根５９は直線Ｌの周りに回動不可能に取り付けられると共に筒部５７の内周面に対してらせん羽根５９は直線Ｌの周りに回動不可能に取り付けられている（即ち、らせん羽根５９及び筒部５７は回転シャフト５３に対し直線Ｌの周りに回動不可能に固定されている。）。そして、らせん羽根５９は筒部５７の内周面と回転シャフト５３の外周面とに液密的に取り付けられており、これによって筒部５７の内周面と回転シャフト５３の外周面との間に直線Ｌの周りに螺旋状に流路６１が形成されている（筒部５７の内周面と回転シャフト５３の外周面との該間の空間をらせん羽根５９が仕切ることで螺旋状の流路６１が形成されている。）。
一対の回転棒５５ａ、５５ｂは、回転シャフト５３の両側にそれぞれ取り付けられており、ケーシング３１が有する後述の筒部カバー上板３３と筒部カバー底板３５とを貫通すると共に、筒部カバー上板３３と筒部カバー底板３５とに取り付けられた軸受（後述の軸受３３ｂ、３５ｂ）によってケーシング３１に対して直線Ｌの周りに回動自在に軸支されている。
【００２０】
ケーシング３１は、直線Ｌに沿った両側に開口を有する中空の筒形状をした筒部カバー３７と、直線Ｌに沿った一端の筒部カバー３７の該開口を塞ぐように取り付けられた筒部カバー底板３５と、直線Ｌに沿った他端の筒部カバー３７の該開口を塞ぐように取り付けられた筒部カバー上板３３と、を有してなる。
筒部カバー３７は、直線Ｌに沿った両側に開口を有する中空の（直）円筒形状をした円筒部分３８と、円筒部分３８に連なるように形成された直線Ｌに沿った両側に開口を有する中空の（直）円筒（円筒部分３８が形成する円筒よりもやや半径が大きい）形状をした受水部分３９と、を含んでなり、円筒部分３８の内部空間３８ａと受水部分３９の内部空間３９ａとは、円筒部分３８が有する両開口のうち一方（他端側）にて連通している。受水部分３９には、受水部分３９の内部空間３９ａと外部空間１０１とを連通させる吐出口３９ｃが直線Ｌの垂線方向に向けて形成されている。
円筒部分３８の内部空間３８ａは、直線Ｌを軸とする直円柱（半径ｒ４。但しｒ４＞ｒ３）形状をしており、そして受水部分３９の内部空間３９ａは、直線Ｌを軸とする直円柱（半径ｒ５。但しｒ５＞ｒ４＞ｒ３）形状をしている。このため筒部カバー３７の内部空間（内部空間３８ａ、内部空間３９ａ）に筒部５７は遊びをもって内嵌されている。なお、筒部５７の直線Ｌ方向の寸法Ｙ１と、回転シャフト５３の直線Ｌ方向の寸法Ｙ２（Ｙ２＞Ｙ１）と、のいずれも、筒部カバー３７の内部空間（内部空間３８ａ、内部空間３９ａ）の直線Ｌ方向の寸法よりも小さい。
筒部カバー３７は開放された開口を直線Ｌに沿った両端に有しているが（両開口のうち一端の開口は円筒部分３８の開口であり、他端の開口は受水部分３９の開口である。）、直線Ｌに沿った一端側の開口を塞ぐように筒部カバー底板３５（略半径ｒ４の薄い円盤形状）が円筒部分３８に十分な強度で取り付けられていると共に、直線Ｌに沿った他端側の開口を塞ぐように筒部カバー上板３３（略半径ｒ４の薄い円盤形状）が受水部分３９に十分な強度で取り付けられている（筒部カバー底板３５及び筒部カバー上板３３のいずれも主表面が直線Ｌに対して略垂直になるように筒部カバー３７に取り付けられている。）。筒部カバー底板３５及び筒部カバー上板３３には、その強度を向上させるため、主表面を横断するように畝状の補強リブ３５ｊ、３３ｊが形成されている（なお、補強リブ３５ｊ、３３ｊのいずれも外部空間１０１方向に凸となっている。）。
そして、筒部カバー底板３５と、円筒部分３８の筒部カバー底板３５近傍部分と、には筒部カバー３７の内部空間（内部空間３８ａ、内部空間３９ａ）と外部空間１０１とを連通させる複数の吸水口３２（小さな円形の孔）が穿設されている。
【００２１】
特に図１０に示すが如く、筒部５７の直線Ｌに沿った両端のうち筒部カバー上板３３側（吐出口３９ｃ側）の端には、直線Ｌに対して略垂直な外方向に向けて突出するように環状の筒部フランジ５７ｆが形成されている。筒部フランジ５７ｆが有する両面は直線Ｌに対して垂直な平面の一部を略形成している。
一方、筒部カバー３７の内周面（受水部分３９の円筒部分３８側の部分）には、筒部フランジ５７ｆに面するように、直線Ｌに対して略垂直な内方向に向けて突出するように環状のカバー部フランジ３７ｆが形成されている。カバー部フランジ３７ｆが有する両面は直線Ｌに対して垂直な平面の一部を略形成している。なお、筒部５７のうち筒部フランジ５７ｆの近傍部分には他の部分よりも厚みが厚い肉厚部分５７ｑが設けられており、この肉厚部分５７ｑにより筒部５７が補強され変形を防止している。
カバー部フランジ３７ｆの内縁は直線Ｌを中心とする半径ｒ６の円形を略なすと共に、筒部フランジ５７ｆの外縁は直線Ｌを中心とする半径ｒ７（ｒ７＞ｒ６）の円形を略なしている。
回転シャフト５３に取り付けられた回転棒５５ａは、筒部カバー底板３５に取り付けられた軸受３５ｂによって直線Ｌの周りに回転自在に支持されると共に、回転シャフト５３に取り付けられた回転棒５５ｂは、筒部カバー上板３３に取り付けられた軸受３３ｂによって直線Ｌの周りに回転自在に支持されている。なお、軸受３３ｂは十分な強度で支持されるよう補強リブ３３ｊに直接取り付けられ（ネジ止め）、そして軸受３５ｂは十分な強度で支持されるよう補強リブ３５ｊに直接取り付けられている（ネジ止め）。
筒部５７と筒部カバー３７とは互いに接触しないようになっており、筒部５７は筒部カバー３７に対し直線Ｌの周りに自由に回転することができる。
後述の如く、ポンプ部５１の螺旋状の流路６１の下端（筒部カバー底板３５側）が水中に潜入し、直線Ｌが鉛直方向に対して所定角度（例えば、４５度）をなすように装置本体２１を傾けて設置し、ポンプ部５１が直線Ｌの周りに回転（螺旋状の流路６１が上方に進む方向に回転させる）されると、筒部５７の内周面と回転シャフト５３の外周面との間の空間をらせん羽根５９が仕切ることで形成される螺旋状の流路６１を水（不図示）が移動し（アルキメデスのポンプ）、螺旋状の流路６１の上端部から吐出口３９ｃを経て外部空間１０１に水（不図示）が吐出されるが、図１０に示すように、このとき筒部フランジ５７ｆの外縁よりもカバー部フランジ３７ｆの内縁が内方（直線Ｌ方向）に存することから、流路６１の上端部に達した水（不図示）は、筒部フランジ５７ｆとカバー部フランジ３７ｆとの間の隙間１０７に進入することなく、吐出口３９ｃから吐出される（図１０中、矢印Ｍ）。
【００２２】
ポンプ部５１を駆動するための駆動部７１は、筒部カバー上板３３に取り付けられた駆動部固定板７９と、直線Ｌに回転軸が平行になるように駆動部固定板７９に取り付けられたモーター７５と、モーター７５の回転軸に回動不可能に取り付けられた駆動プーリー７７と、回転棒５５ｂに直線Ｌの周りに回動不可能に取り付けられた従動プーリー７３と、駆動プーリー７７と従動プーリー７３とに係合するベルト（不図示）と、これらモーター７５や両プーリー７３、７７とを覆う駆動部カバー７８と、を有してなる。なお、駆動プーリー７７と従動プーリー７３とは、それらに係合するベルト（不図示）が係合する係合溝（プーリー外周面を巡るように形成された環状の溝）のいずれもが直線Ｌに対して垂直な一平面に属するように配置されると共に、駆動プーリー７７及び従動プーリー７３の両回転軸は略平行（いずれも直線Ｌに略平行）であるから、駆動プーリー７７と従動プーリー７３とにベルト（不図示）を係合させることで、モーター７５がモーター回転軸を回転させれば駆動プーリー７７及びベルト（不図示）を介して従動プーリー７３を回転させ、回転棒５５ｂ及び回転シャフト５３を含むポンプ部５１を直線Ｌの周りに回転させることができる。
【００２３】
このような本装置１１は、筒部カバー底板３５と筒部カバー３７に穿設された複数の吸水口３２が水中（例えば、河川や溝を流れている水中）に潜入する（螺旋状の流路６１の下端（筒部カバー底板３５側）が水中に潜入する）と共に、吐出口３９ｃが下方向を向くよう、直線Ｌが鉛直方向に対して所定角度（例えば、４５度）をなすように傾けて設置し、さらに太陽電池パネル９１の受光面９３に太陽光を受けるようにすれば、太陽電池パネル９１により発電された電力が給電コード９９を経由してモーター７５に供給され、モーター７５が回転する。
モーター７５の回転により、前述の通り、ポンプ部５１を直線Ｌの周りに回転させる。筒部５７の内周面と回転シャフト５３の外周面との間の空間をらせん羽根５９が仕切ることで形成される螺旋状の流路６１を、ポンプ部５１の直線Ｌの周りの回転により水が該螺旋状の流路６１を上方に向けて上がり（アルキメデスのポンプ）、該螺旋状の流路６１の上端部から吐出口３９ｃを経て外部空間１０１に水が吐出される。これにより河川や溝を流れている水を太陽光エネルギーを用いて本装置１１によって揚水し、田畑等に給水することができる。
【００２４】
以上説明した通り、本装置１１は、所定の線分である基準線分（ここでは直線Ｌの一部）の一端から他端に向けて基準線分（直線Ｌの一部）の周りに螺旋状の流路６１を形成する螺旋流路形成手段（ここではポンプ部５１が構成する）と、太陽光を電力に変換する発電手段（ここでは太陽電池パネル９１が構成する）と、発電手段（太陽電池パネル９１）によって発電された電力により、基準線分（直線Ｌの一部）の周りに流路６１を回転させる回転手段（ここでは駆動部７１が構成する）と、を備えてなる、揚液装置（ここでは農業用の揚水装置）である。
本装置１１においては、螺旋流路形成手段（ポンプ部５１）が、基準線分（直線Ｌの一部）の一端と他端とに開口を有する中空の筒状部材である流路筒部（ここでは筒部５７）と、基準線分（直線Ｌの一部）の一端側から他端側に向けて基準線分（直線Ｌの一部）の周りに螺旋状に外縁が流路筒部（筒部５７）の内面に液密的に取り付けられた螺旋羽根（ここではらせん羽根５９）と、を有してなり、流路筒部（筒部５７）の内面と螺旋羽根（らせん羽根５９）とにより前記流路６１が形成され、回転手段（駆動部７１）が、流路筒部（筒部５７）と螺旋羽根（らせん羽根５９）とを基準線分（直線Ｌの一部）の周りに回転させるものである。
本装置１１においては、基準線分（直線Ｌの一部）の周りに回転自在に軸支され、外面に螺旋羽根（らせん羽根５９）の内縁が液密的に取り付けられた中央軸（ここでは回転シャフト５３）を備えるものである。
【００２５】
本装置１１においては、基準線分（直線Ｌの一部）の周りに回転する流路筒部（筒部５７）の他端に連通する内部空間である集液空間（ここでは内部空間３９ａ）と、集液空間（内部空間３９ａ）と外部空間１０１とを連通させ液体を吐出する吐出口３９ｃと、を有してなる集液室（ここでは受水部分３９）を備えるものである。
本装置１１においては、流路筒部（筒部５７）が、外方に突出するように流路筒部（筒部５７）の外面に形成された筒部フランジ５７ｆを有し、筒部フランジ５７ｆの外縁から落下する液が吐出口３９ｃへ導かれるものである。ここでは筒部フランジ５７ｆが流路筒部（筒部５７）の他端（液が吐出される端）近傍に存し、筒部フランジ５７ｆが集液空間（内部空間３９ａ）内に存在する。
本装置１１においては、集液室（受水部分３９）が、筒部フランジ５７ｆの外縁よりも内縁が内方に突出するように筒部フランジ５７ｆに対して流路筒部（筒部５７）の一端（液を吸入する端）側に形成された集液フランジ（ここではカバー部フランジ３７ｆ）を有するものである。
本装置１１においては、筒部フランジ５７ｆと集液フランジ（カバー部フランジ３７ｆ）との間に隙間１０７が形成されるものである。そして、集液室（受水部分３９）と流路筒部（筒部５７）とが非接触であり、筒部フランジ５７ｆと集液室（受水部分３９）とが非接触かつ集液フランジ（カバー部フランジ３７ｆ）と流路筒部（筒部５７）が非接触である。
本装置１１においては、流路筒部（筒部５７）のうち基準線分（直線Ｌの一部）に沿った少なくとも一部（ここでは全部）を覆うカバー（筒部カバー３７）を備えてなる。
【符号の説明】
【００２６】
１１            本装置
２１            装置本体
３１            ケーシング
３２            吸水口
３３            筒部カバー上板
３３ｂ          軸受
３３ｊ          補強リブ
３５            筒部カバー底板
３５ｂ          軸受
３５ｊ          補強リブ
３７            筒部カバー
３７ｆ          カバー部フランジ
３８            円筒部分
３８ａ          内部空間
３９            受水部分
３９ａ          内部空間
３９ｃ          吐出口
５１            ポンプ部
５３            回転シャフト
５５ａ、５５ｂ  回転棒
５７            筒部
５７ｆ          筒部フランジ
５７ｑ          肉厚部分
５９            らせん羽根
６１            流路
７１            駆動部
７３            従動プーリー
７５            モーター
７７            駆動プーリー
７８            駆動部カバー
７９            駆動部固定板
９１            太陽電池パネル
９３            受光面
９９            給電コード
１０１            外部空間
１０７            隙間
【図１】
2011220272.tif 000003
【図２】
2011220272.tif 000004
【図３】
2011220272.tif 000005
【図４】
2011220272.tif 000006
【図５】
2011220272.tif 000007
【図６】
2011220272.tif 000008
【図７】
2011220272.tif 000009
【図８】
2011220272.tif 000010
【図９】
2011220272.tif 000011
【図１０】
2011220272.tif 000012